(57)【要約】【課題】左右どちらの方向からも容易に開封することができる帯状の開封構造と該開封構造を用いた紙箱又はダンボール箱を提供すること。【解決手段】切れ目線（３）が複数本一定間隔で規則的に設けられた第１切断線（５ａ）と、第１切断線から一定幅をおいて第１切断線と平行に設けられ第１切断線と同形状の第２切断線（５ｂ）と、第１切断線と第２切断線の中間に形成され第１切断線又は第２切断線と対称的に形成される切れ目線（４）が複数本一定間隔で規則的に設けられた第３切断線（５ｃ）とからなり、第１切断線と第３切断線に挟まれた第１帯状部分（６）と第３切断線と第２切断線に挟まれた第２帯状部分（７）とから構成され、第１帯状部分の開封方向と第２帯状部分の開封方向とは互いに逆方向となる。【選択図】図１
2008087774.tif 000002
【特許請求の範囲】
【請求項１】
紙箱等の開口予定部に、面板の一方の端縁からもう一方の端縁まで開封方向に沿って、切れ目線が断続的に同一位相で直線的に形成された切断線が複数列、それぞれ前記面板の折り曲げ線に対して平行に設けられた帯状の開封構造であって、
前記開封構造は、切れ目線が複数本一定間隔をおいて規則的に設けられた第１切断線と、該第１切断線から一定幅をおいて第１切断線と平行に設けられ、第１切断線と同じ形状を有する第２切断線と、第１切断線と第２切断線の中間に形成され、第1切断線又は第２切断線と対称的に形成される切れ目線が複数本一定間隔をおいて規則的に設けられた第３切断線とからなり、
前記第１切断線と第3切断線に挟まれた第１帯状部分と、第３切断線と第２切断線とに挟まれた第２帯状部分とから構成され、第１帯状部分の開封方向と第２帯状部分の開封方向とは互いに逆方向となることを特徴とする帯状の開封構造。
【請求項２】
前記第１切断線又は第３切断線を構成している切れ目線は、略ノの字状をした切れ目線であり、前記第２切断線を構成している切れ目線は、第１切断線又は第３切断線を構成している切れ目線とは対称的に形成される略逆ノの字状をした切れ目線であることを特徴とする請求項1記載の帯状の開封構造。
【請求項３】
前記第１帯状部分の開封開始部位には、開口予定部を形成する面板の折り曲げ線と平行に、第1切断線の延長線上に第１開封補助切断線が、第３切断線の延長線上に第３開封補助切断線がそれぞれ設けられ、面板の一方の端縁と該一方の端縁に連設する第1開封補助切断線と第３開封補助切断線その１に囲まれて第1開封つまみ部が形成され、
前記第２帯状部分の開封開始部位には、第２切断線の延長線上に第２開封補助切断線が、第３切断線の延長線上に第３開封補助切断線その２が、それぞれ面板のもう一方の端縁に連設して設けられ、面板のもう一方の端縁と該もう一方の端縁に連設する第２開封補助切断線と第３開封補助切断線その２に囲まれて第２開封つまみ部が形成され、ていることを特徴とする請求項1又は２記載の帯状の開封構造。
【請求項４】
請求項１、２又は３記載の帯状の開封構造が設けられた面板の両端縁に位置する面板に重なる舌片の折り曲げ線は、紙箱の内側に湾曲させた湾曲線として形成されていることを特徴とする帯状の開封構造を用いた紙箱。
【請求項５】
前記帯状の開封構造が設けられた上天面板とその下に位置する下天面板には、開封後の再封緘が可能な再封緘構造が設けられていることを特徴とする請求項４記載の帯状の開封構造を用いた紙箱。
【発明の詳細な説明】
【技術分野】
【０００１】
本発明は、紙箱など紙器の開口部に用いられる帯状の開封構造と該開封構造を用いた紙箱に関するものであり、特には、左右どちらからでも容易に開封できる帯状の開封構造と該開封構造を用いた紙箱又はダンボール箱に関する。
【背景技術】
【０００２】
従来、紙箱やダンボール箱など紙器の開封構造の一つに、紙箱の開口部に、例えば、図５、図６に示すような、ミシン目状の切れ目線を二本平行に設けた帯状構造（１００）があり、このような開封構造を備えた紙箱はジッパー付きカートンとも呼ばれて菓子類、事務用品類等を収納する容器として多用されている（例えば、特許文献１、特許文献２参照）。
【０００３】
上記先行技術文献を示す。
【特許文献１】実開平２−４００２５号公報。
【特許文献２】実開平５−１３９２９号公報。
【０００４】
しかしいずれも一方向からのみしか開封できず、左右あるいは上下両方向から容易に開封するということはできなかった。
【発明の開示】
【発明が解決しようとする課題】
【０００５】
本発明は、従来の帯状の開封構造に関する以上のような問題を解決するためになされたもので、左右どちらの方向からも容易に開封することのできる帯状の開封構造と、該開封構造を用いた紙箱又はダンボール箱を提供することを課題とする。
【課題を解決するための手段】
【０００６】
本発明の請求項１の発明は、紙箱等の開口予定部に、面板の一方の端縁からもう一方の端縁まで開封方向に沿って、切れ目線が断続的に同一位相で直線的に形成された切断線が複数列、それぞれ前記面板の折り曲げ線に対して平行に設けられた帯状の開封構造であって、
前記開封構造は、切れ目線が複数本一定間隔をおいて規則的に設けられた第１切断線と、該第１切断線から一定幅をおいて第１切断線と平行に設けられ、第１切断線と同じ形状を有する第２切断線と、第１切断線と第２切断線の中間に形成され、第1切断線又は第２切断線と対称的に形成される切れ目線が複数本一定間隔をおいて規則的に設けられた第３切断線とからなり、前記第１切断線と第3切断線に挟まれた第１帯状部分と、第３切断線と第２切断線とに挟まれた第２帯状部分とから構成され、第１帯状部分の開封方向と第２帯状部分の開封方向とは互いに逆方向となることを特徴とする帯状の開封構造である。
また、請求項２の発明は、請求項１の発明において、前記第１切断線又は第３切断線を構成している切れ目線は、略ノの字状をした切れ目線であり、前記第２切断線を構成している切れ目線は、第１切断線又は第３切断線を構成している切れ目線とは対称的に形成される略逆ノの字状をした切れ目線であることを特徴とする帯状の開封構造である。
【０００７】
このように請求項１又は２記載の発明によれば、紙箱等の開口予定部に、面板の一方の端縁からもう一方の端縁まで開封方向に沿って、略ノの字状又は略逆ノの字状の切れ目線が断続的に同一位相で直線的に設けられた切断線が複数列、それぞれ前記面板の折り曲げ
線に対して平行に設けられた帯状の開封構造であって、前記開封構造は、略ノの字状の切れ目線が複数本一定間隔をおいて規則的に設けられた第１切断線と、該第１切断線から一定幅をおいて第１切断線と平行に設けられ、第１切断線と同じ形状を有する第２切断線と、第１切断線と第２切断線の中間に形成され、第1切断線又は第２切断線と対称的に形成される逆略ノの字状の切れ目線が複数本一定間隔をおいて規則的に設けられた第３切断線とからなり、前記第１切断線と第3切断線に挟まれた第１帯状部分と、第３切断線と第２切断線とに挟まれた第２帯状部分とから構成され、第１帯状部分の開封方向と第２帯状部分の開封方向とは互いに逆方向となるので、例えば、第１切断線と第３切断線との間に形成される第１帯状部分を左方から右方に引っ張ると、第１切断線と第３切断線は容易に切れて第１帯状部分は面板から離れる。また、第３切断線と第２切断線の間に形成される第２帯状部分を右方から左方に引っ張ると、第３切断線と第２切断線は容易に切れて第２帯状部分は面板から離れる。すなわち、面板は、左方からでも右方からでもどちらからでも開封することができ、面板を切断することができる。
【０００８】
また、請求項３の発明は、請求項１又は２の発明において、前記第１帯状部分の開封開始部位には、開口予定部を形成する面板の折り曲げ線と平行に、第1切断線の延長線上に第１補助切断線が、第３切断線の延長線上に第３補助切断線がそれぞれ設けられ、面板の一方の端縁と該一方の端縁に連設する第1補助切断線と第３補助切断線その１に囲まれて第1開封つまみ部が形成され、
前記第２帯状部分の開封開始部位には、第２切断線の延長線上に第２補助切断線が、第３切断線の延長線上に第３補助切断線その２が、それぞれ面板のもう一方の端縁に連設して設けられ、面板のもう一方の端縁と該もう一方の端縁に連設する第２補助切断線と第３補助切断線その２に囲まれて第２開封つまみ部が形成され、ていることを特徴とする帯状の開封構造である。
【０００９】
このように請求項３の発明によれば、第１帯状部分の開封開始部位には、開口予定部を形成する面板の折り曲げ線と平行に、第1切断線の延長線上に第１補助切断線が、第３切断線の延長線上に第３補助切断線がそれぞれ設けられ、面板の一方の端縁と該一方の端縁に連設する第1補助切断線と第３補助切断線その１に囲まれて第1開封つまみ部が形成され、
第２帯状部分の開封開始部位には、第２切断線の延長線上に第２補助切断線が、第３切断線の延長線上に第３補助切断線その２が、それぞれ面板のもう一方の端縁に連設して設けられ、面板のもう一方の端縁と該もう一方の端縁に連設する第２補助切断線と第３補助切断線その２に囲まれて第２開封つまみ部が形成されているので、例えば、第１開封つまみ部を持って引っ張るだけで、第１帯状部分は面板の一方の端縁からもう一方の端縁まで容易に面板から切り離すことができるし、第２開封つまみ部を持って引っ張れば、第２帯状部分は面板のもう一方の端縁から一方の端縁まで容易に面板から切り離すことができる。
【００１０】
また、請求項４の発明は、請求項１、２又は３記載の帯状の開封構造が設けられた面板の両端縁に位置する面板に重なる舌片の折り曲げ線は、紙箱の内側に湾曲させた湾曲線として形成されていることを特徴とする帯状の開封構造を用いた紙箱である。
【００１１】
このように請求項４の発明によれば、請求項１、２又は３記載の帯状の開封構造が設けられた面板の両端縁に位置する面板に重なる舌片の折り曲げ線は、紙箱の内側に湾曲させた湾曲線として形成されているので、紙箱に形成された帯状構造の第１つまみ部も、第２つまみ部も容器の側面に隙間があくことにより、紙箱に形成された帯状構造の第１つまみ部も、第２つまみ部も簡単に手でつかむことができ、紙箱を容易に開封することができる。
【００１２】
また、請求項５の発明は、請求項４の発明において、前記帯状の開封構造が設けられた上天面板とその下に位置する下天面板には、開封後の再封緘が可能な再封緘構造が設けられていることを特徴とする帯状の開封構造を用いた紙箱である。
【００１３】
このように請求項５の発明によれば、帯状の開封構造が設けられた上天面板とその下に位置する下天面板には、開封後の再封緘が可能な再封緘構造が設けられているので、一度開封しても容易に再封緘することができる。
【発明の効果】
【００１４】
このように本発明の帯状の開封構造を用いることにより、左右どちらの方向からも簡単に開封することができる。すなわち、左右独立した開封つまみ部を用いることで左右どちらの方向からも容易に開封することができる。
また、切れ刃が一直線上にないため、帯状の開封構造を設けた天面板にあっても剛性が損なわれず、安定したカートニング作業ができる。
【発明を実施するための最良の形態】
【００１５】
本発明を一実施形態に基づいて以下に詳細に説明する。
本発明の帯状の開封構造（１０）は、例えば、図１に示すように、紙箱等の開口予定部に、面板（２）の一方の端縁（２ａ）からもう一方の端縁（２ｂ）まで開封方向に沿って、略ノの字状（３）又は略逆ノの字状（４）の切れ目線が断続的に同一位相で直線的に設けられた切断線（５）が複数列、それぞれ前記面板の折り曲げ線（２ｃ）に対して平行に設けられたものである。
【００１６】
つぎに開封構造をさらに詳細に述べる。略ノの字状の切れ目線（３）が複数本一定間隔をおいて規則的に設けられた第１切断線（５ａ）と、該第１切断線から一定幅をおいて第１切断線と平行に設けられ、第１切断線と同じ形状を有する第２切断線（５ｂ）と、第１切断線と第２切断線の中間に形成され、第1切断線又は第２切断線と対称的に形成される逆略ノの字状の切れ目線（４）が複数本一定間隔をおいて規則的に設けられた第３切断線（５ｃ）とからなり、第１切断線（５ａ）と第3切断線（５ｃ）に挟まれた第１帯状部分（６）と、第３切断線（５ｃ）と第２切断線（５ｂ）とに挟まれた第２帯状部分（７）とから構成され、第１帯状部分の開封方向（Ａ）と第２帯状部分の開封方向（Ｂ）とは互いに逆方向となることを特徴としている。
【００１７】
また、図2に示すように、第１帯状部分（６）の開封開始部位には、開口予定部を形成する面板の折り曲げ線（２ｃ）と平行に、第1切断線（５ａ）の延長線上に第１補助切断線（５ｄ）が、第３切断線（５ｃ）の延長線上に第３補助切断線その１（５ｅ）がそれぞれ設けられ、面板の一方の端縁（２ａ）と該一方の端縁に連設する第1補助切断線（５ｄ）と第３補助切断線その１（５ｅ）に囲まれて第1開封つまみ部（８）が形成されている。
【００１８】
第２帯状部分（７）の開封開始部位には、第２切断線（５ｂ）の延長線上に第２補助切断線（５ｆ）が、第３切断線（５ｃ）の延長線上に第３補助切断線その２（５ｇ）が、それぞれ面板のもう一方の端縁（２ｂ）に連設して設けられ、面板のもう一方の端縁（２ｂ）と該もう一方の端縁に連設する第２補助切断線（５ｆ）と第３補助切断線その２（５ｇ）に囲まれて第２開封つまみ部（９）が形成されている構造としても良い。
【００１９】
このような構造をとることにより、開封開始時に第1開封つまみ部（８）や、第２開封つまみ部（９）をすばやくつかんで、帯状の開封構造を引っ張ることができ、紙箱の開封がより容易に、かつ、確実に行えるようになる。
【００２０】
図１、図２においては、帯状の開封構造の両端に略ノの字状の切れ目線を形成させた切断線を配置し、この二本の切断線の中間に略逆ノの字状の切れ目線を形成させた切断線を配置した構造としたが、図３に示すような、帯状の開封構造の両端に略逆ノの字状の切れ目線を形成させた切断線を配置し、この二本の切断線の中間にノの字状の切れ目線を形成させた切断線を配置した構造としても良い。
【００２１】
また、ノの字状の切れ目線（３）や逆ノの字状の切れ目線（４）の形状は、図示した直線状に限定されるものではなく、くの字状、３の字状、Ｙの字状、円弧状等任意の形状が考えられる。
【００２２】
図４は、本発明の帯状の開封構造を設けた紙箱のブランクの一実施例を示す展開説明図である。これについて簡単に説明する。
【００２３】
糊代片（２１）、裏面板（２２）、側面板（２３）、正面板（２４）、側面板（２５）がそれぞれ縦方向の折り曲げ線を介して連設されている。
【００２４】
裏面板（２２）の上下端には下天面板（２２１）、下底面板（２２２）がそれぞれ横方向の折り曲げ線（ａ）を介して連設されている。下天面板（２２１）の端縁で、後記する上天面板（２４１）の切り込み（ｂ）に対応する位置には、下天面板（２２１）を上天面板（２４１）に差し込み再封緘するための差込片（２２３）が突出して形成されている。
【００２５】
側面板（２３）の上下端には舌片（２３１、２３２）がそれぞれ横方向の折り曲げ線（ａ）を介して連設されている。側面板（２５）の上下端には舌片（２５１、２５２）がそれぞれ横方向の折り曲げ線（ａ）を介して連設されている。二つの側面板（２３、２５）の上端に形成される舌片（２３１、２５１）を連設する横方向の折り曲げ線（ａ、ａ）は、それぞれ側面板（２３、２５）側にゆるく突出するように湾曲して形成されている。
【００２６】
正面板（２４）の上下端には上天面板（２４１）と上底面板（２４２）がそれぞれ横方向の折り曲げ線（ａ）を介して連設されている。そして、上天面板（２４１）の略中央には、横方向の折り曲げ線（ａ）と平行に本発明の帯状の開封構造（１０）が設けられている。なお、この帯状の開封構造には第1開封つまみ部（８）、第２開封つまみ部（９）が設けられている。
【００２７】
上天面板（２４１）に設けられた帯状の開封構造（１０）の切断線上には、下天面板（２２１）の差込片（２２３）を差し込むための切り込み（ｂ）が穿設されている。
【００２８】
このような構造のブランクを紙箱（２０）に組み立てる際の組み立て方の一例を記す。先ず、縦方向の折り曲げ線に沿って、糊代片（２１）、裏面板（２２）、側面板（２３）、正面板（２４）、側面板（２５）に折りぐせをつけた後、裏面板（２２）と側面板（２３）の間と、裏面板（２２）と側面板（２３）の間を折り曲げ、重なった糊代片（２１）の表面と側面板（２５）の裏面とを貼着し、ブランクをスリーブ状に形成する。
【００２９】
スリーブを起こしながら、内容物（図示せず）を収容後、スリーブ上端の舌片（２３１、２５１）を折り曲げ、下天面板（２２１）を折り曲げ、下天面板（２２１）の上に、上天面板（２４１）が重なるように上天面板（２４１）を折り曲げる。その際、上天面板（２４１）の先端縁近傍裏面とそれに重なる下天面板（２２１）の表面とを貼着し、紙箱の天部が形成される。
【００３０】
同様にスリーブ下端の舌片（２３２、２５２）、下底面板（２２２）、上底面板（２４２）を折り曲げ、貼着して紙箱の底部が形成される。
【００３１】
このようにして作製した紙箱（２０）は、図５、図６に示すように、帯状の開封構造が２列平行に形成されており、左方から右方に向けて開封することもできるし、逆に右方から左方に向けて開封することもできる。また、この紙箱にあっては、開封しやすくするため、天面板側の舌片（２３１、２５１）を湾曲してまげて天面板と舌片の間に隙間を設けたので、開封する際に、帯状の開封構造や開封つまみ部を簡単につまんムことができ、開封し易い。さらに、一度開封した後も、下天面板（２２１）の先端に設けられた差込片（２２３）を上天面板（２４１）に穿設された切り込み（ｂ）に差し込むだけで、紙箱（２０）を再封緘することができる。
【図面の簡単な説明】
【００３２】
【図１】本発明の帯状の開封構造の一実施例を示す平面説明図である。
【図２】本発明の帯状の開封構造の別の実施例を示す平面説明図である。
【図３】本発明の帯状の開封構造のさらに別の実施例を示す平面説明図である。
【図４】本発明の帯状の開封構造を用いた一実施例の紙箱を展開した平面説明図である。
【図５】図４のブランクを紙箱に組み立てた状態を示す斜視説明図である。
【図６】図５の紙箱を開封後、再封緘した状態を示す斜視説明図である。
【図７】従来の帯状の開封構造を設けた紙箱の一例を示す斜視説明図である。
【符号の説明】
【００３３】
２‥‥面板
２ａ‥面板の一方の端縁
２ｂ‥面板のもう一方の端縁
２ｃ‥面板の折り曲げ線
３‥‥ノの字状の切れ目線
４‥‥逆ノの字状の切れ目線
５‥‥切断線
５ａ‥第１切断線
５ｂ‥第２切断線
５ｃ‥第３切断線
５ｄ‥第１補助切断線
５ｅ‥第３補助切断線その１
５ｆ‥第２補助切断線
５ｇ‥第３補助切断線その２
６‥‥第１帯状部分
７‥‥第２帯状部分
８‥‥第１開封つまみ部
９‥‥第２開封つまみ部
１０‥‥帯状の開封構造
２０‥‥紙箱
２１‥‥糊代片
２２‥‥裏面板
２３‥‥側面板
２４‥‥正面板
２５‥‥側面板
１００‥‥帯状構造
２２１‥‥下天面板
２２２‥‥下底面板
２２３‥‥差込片
２３１‥‥舌片
２３２‥‥舌片
２４１‥‥上天面板
２４２‥‥上底面板
２５１‥‥舌片
２５２‥‥舌片
ａ‥‥横方向の折り曲げ線
ｂ‥‥切り込み
【図１】
2008087774.tif 000003
【図２】
2008087774.tif 000004
【図３】
2008087774.tif 000005
【図４】
2008087774.tif 000006
【図５】
2008087774.tif 000007
【図６】
2008087774.tif 000008
【図７】
2008087774.tif 000009